(57)【要約】【課題】ヒートショックを抑制するために消費するエネルギー消費量を削減する。【解決手段】居室から脱衣室に空気が供給された室温差を小さくするために消費するエネルギー消費量Ｅ１、すなわちヒートショックを抑制するために消費するエネルギー消費量Ｅ１が操作パネル２００のモニター２０２に表示される。そして、表示されたエネルギー消費量Ｅ１を参考に、ダイヤル２０４を廻して削減値（削減率）を設定する。また、コントローラは、設定された削減値（削減率）に基づいて、送風ファンの回転数を調整することで、居室から脱衣室への空気の供給量がエネルギー消費量Ｅ２になるように調整する。したがって、ヒートショックを抑制するために消費するエネルギー消費量が容易に削減される。【選択図】図４
2013221725.tif 000002
【特許請求の範囲】
【請求項１】
建物における互いに区切られた複数の屋内空間のうち住人が在室する時間が所定時間以上の一の屋内空間と他の一の屋内空間との温度差が小さくなるように前記他の一の屋内空間を昇温又は降温させると共に、前記他の一の屋内空間の昇温又は降温によって消費されるエネルギー消費量を調整可能な温度調整手段と、
前記温度調整手段によって消費されるエネルギー消費量を表示する表示手段と、
を備える建物の温度調整システム。
【請求項２】
前記表示手段には、前記温度調整手段によって消費されるエネルギー消費量を削減する削減値が設定可能とされ、
前記温度調整手段は、前記削減値に基づいて前記エネルギー消費量を調整して昇温又は降温する、
請求項１に記載の建物の温度調整システム。
【請求項３】
前記表示手段には、前記エネルギー消費量が所定値以下となるエコモード値が記憶され、
前記表示手段は、前記エコモード値を表示する、
請求項１又は請求項２に記載の建物の温度調整システム。
【請求項４】
前記表示手段には、前記エネルギー消費量が所定値以下となるエコモード値が記憶され、
前記表示手段は、前記削減値が前記エコモード値よりも低く設定された場合に、前記エコモード値を表示する、
請求項２に記載の建物の温度調整システム。
【請求項５】
前記表示手段は、前記他の一の屋内空間の温度が閾値以下又は外気温が所定温度以下の場合に、前記エコモード値を表示する、
請求項３又は請求項４に記載の建物の温度調整システム。
【請求項６】
前記表示手段には、前記温度差が予め定められた範囲内となる前記エネルギー消費量のヒートショック抑制推奨値が記憶され、
前記表示手段は、前記ヒートショック抑制推奨値を表示する、
請求項１〜請求項５のいずれか１項に記載の建物の温度調整システム。
【請求項７】
前記表示手段は、前記他の一の屋内空間の温度が閾値以下又は外気温が所定温度以下の場合に、前記ヒートショック抑制推奨値を表示する、
請求項６に記載の建物の温度調整システム。
【請求項８】
前記温度調整手段は、前記建物の住人が帰宅する帰宅時間を予想する機能を有し、予測される帰宅時間又は前記帰宅時間の所定時間前に前記他の一の屋内空間の昇温又は降温を開始する、
請求項１〜請求項７のいずれか１項に記載の建物の温度調整システム。
【請求項９】
前記表示手段には、前記建物の前記屋内空間毎に昇温又は降温によって消費されるエネルギー消費量が表示される、
請求項１〜請求項８のいずれか１項に記載の建物の温度調整システム。
【発明の詳細な説明】
【技術分野】
【０００１】
本発明は、建物の温度調整システムに関する。
【背景技術】
【０００２】
住宅等の建物では、リビングやダイニングといった住人等が継続的に使用する居室を対象として、エアコン等により室温調整が行われていることが多い。この場合、居室の室温は適切に調整される一方で、脱衣室等といった居室以外の部屋が適切な室温になっていないことがあると考えられる。そして、例えば、居室と脱衣室との室温差が大きいと、入浴するべく脱衣する際に身体が温度変化の影響を受ける所謂ヒートショックが懸念される。このような問題は、脱衣室だけでなく、居室との間で温度差が発生しやすいトイレ等の部屋においても起こりえると考えられる。
【０００３】
そこで、特許文献１には、居室の空気を脱衣室やトイレ等に通気ダクトを介して供給し、居室と脱衣室やトイレ等との温度差を緩和することで、ヒートショックを抑制する技術が開示されている。
【０００４】
しかし、上記技術では、ヒートショックを抑制するために消費するエネルギー消費量を削減することが考慮されていない。よって、この点において、上記先行技術は改善の余地がある。
【先行技術文献】
【特許文献】
【０００５】
【特許文献１】特開２００９−２１６３６７号公報
【発明の概要】
【発明が解決しようとする課題】
【０００６】
本発明は、上記事実を考慮し、ヒートショックを抑制するために消費するエネルギー消費量を削減することが目的である。
【課題を解決するための手段】
【０００７】
請求項１の発明は、建物における互いに区切られた複数の屋内空間のうち住人が在室する時間が所定時間以上の一の屋内空間と他の一の屋内空間との温度差が小さくなるように前記他の一の屋内空間を昇温又は降温させると共に、前記他の一の屋内空間の昇温又は降温によって消費されるエネルギー消費量を調整可能な温度調整手段と、前記温度調整手段によって消費されるエネルギー消費量を表示する表示手段と、を備える。
【０００８】
請求項１の発明では、表示手段によって温度調整手段によって消費されるエネルギー消費量が表示される。そして、表示された情報を参考に、エネルギー消費量を調整することで、エネルギー消費量が効果的に削減される。
【０００９】
請求項２の発明は、前記表示手段には、前記温度調整手段によって消費されるエネルギー消費量を削減する削減値が設定可能とされ、前記温度調整手段は、前記削減値に基づいて前記エネルギー消費量を調整して昇温又は降温する。
【００１０】
請求項２の発明では、温度調整手段は設定された削減値に基づいてエネルギー消費量を調整して昇温又は降温するので、エネルギー消費量が容易に削減される。
【００１１】
請求項３の発明は、前記表示手段には、前記エネルギー消費量が所定値以下となるエコモード値が記憶され、前記表示手段は、前記エコモード値を表示する。
【００１２】
請求項３の発明では、表示手段がエコモード値を表示するので、エネルギー消費量の削減の目安が容易に判断できる。
【００１３】
請求項４の発明は、前記表示手段には、前記エネルギー消費量が所定値以下となるエコモード値が記憶され、前記表示手段は、前記削減値が前記エコモード値よりも低く設定された場合に、前記エコモード値を表示する。
【００１４】
請求項４の発明では、設定された削減値がエコモード値よりも低く設定された場合に、表示手段がエコモード値を表示する。そして、表示されたエコモード値を参考に、削減値を設定し直すことで、必要以上にエネルギー消費量を削減し、その結果、ヒートショックの抑制効果が十分に得られなくなることが防止される。
【００１５】
請求項５の発明は、前記表示手段は、前記他の一の屋内空間の温度が閾値以下又は外気温が所定温度以下の場合に、前記エコモード値を表示する。
【００１６】
請求項５の発明では、他の一の屋内空間の温度が閾値以下又は外気温が所定温度以下の場合に、すなわちヒートショックを抑制する必要が高い場合に、表示手段はエコモード値を表示する。よって、ヒートショックを抑制する必要が高い場合は必要以上にエネルギー消費量を削減し、その結果、ヒートショックの抑制効果が十分に得られなくなることが防止される。また、ヒートショックを抑制する必要が低い場合はエコモード値を重視しないで削減値が設定される。よって、エネルギー消費量が効果的に削減される。
【００１７】
請求項６の発明は、前記表示手段には、前記温度差が予め定められた範囲内となる前記エネルギー消費量のヒートショック抑制推奨値が記憶され、前記表示手段は、前記ヒートショック抑制推奨値を表示する。
【００１８】
請求項６の発明では、表示手段がヒートショック抑制推奨値を表示することで、ヒートショックの抑制とエネルギー消費量の削減とのバランスを取ることが容易となる。
【００１９】
請求項７の発明は、前記表示手段は、前記他の一の屋内空間の温度が閾値以下又は外気温が所定温度以下の場合に、前記ヒートショック抑制推奨値を表示する。
【００２０】
請求項７の発明では、他の一の屋内空間の温度が閾値以下又は外気温が所定温度以下の場合に、すなわちヒートショックを抑制する必要が高い場合に、表示手段はヒートショック抑制推奨値を表示する。よって、ヒートショックを抑制する必要が高い場合はヒートショックの抑制を重視することが促され、ヒートショックを抑制する必要が低い場合はヒートショックの抑制を重視しないで削減値が設定される。よって、ヒートショックの抑制とエネルギー消費量の削減とのバランスを容易にとることができる。
【００２１】
請求項８の発明は、前記温度調整手段は、前記建物の住人が帰宅する帰宅時間を予想する機能を有し、予測される帰宅時間又は前記帰宅時間の所定時間前に前記他の一の屋内空間の昇温又は降温を開始する。
【００２２】
請求項８の発明では、予測される帰宅時間又は帰宅時間の所定時間前に他の一の屋内空間の昇温又は降温を開始することで、帰宅直後からヒートショックが抑制される。
【００２３】
請求項９の発明は、前記表示手段には、前記建物の前記屋内空間毎に昇温又は降温によって消費されるエネルギー消費量が表示される。
【００２４】
請求項９の発明では、建物の屋内空間毎に消費されるエネルギー消費量が表示されるので、エネルギー消費量を更に効果的に削減することができる。
【発明の効果】
【００２５】
請求項１に記載の発明によれば、ヒートショックを抑制するために消費するエネルギー消費量が表示されない場合と比較し、ヒートショックを抑制するために消費するエネルギー消費量を効果的に削減することができる。
【００２６】
請求項２に記載の発明によれば、削減値を設定することができない場合と比較し、ヒートショックを抑制するために消費するエネルギー消費量を容易に削減することができる。
【００２７】
請求項３に記載の発明によれば、表示手段がエコモード値を表示しない場合と比較し、エネルギー消費量の削減の目安を容易に判断することができる。
【００２８】
請求項４に記載の発明によれば、必要以上にエネルギー消費量を抑制し、ヒートショックの抑制が十分に得られなくなることが防止される。
【００２９】
請求項５に記載の発明によれば、ヒートショックを抑制する必要が低い場合はエコモード値を重視しないで削減値を設定することで、エネルギー消費量が効果的に削減される。
【００３０】
請求項６に記載の発明によれば、ヒートショックの抑制とエネルギー消費量の削減とのバランスを容易に取ることができる。
【００３１】
請求項７に記載の発明によれば、ヒートショックの抑制とエネルギー消費量の削減とのバランスを効果的に取ることができる。
【００３２】
請求項８に記載の発明によれば、帰宅直後からヒートショックを抑制することができる。
【００３３】
請求項９に記載の発明によれば、建物の屋内空間毎に消費されるエネルギー消費量が表示されない場合と比較し、エネルギー消費量を更に効果的に削減することができる。
【図面の簡単な説明】
【００３４】
【図１】本実施形態の建物の温度調整システムを備える住宅の構成を平面視で示すと共に温度調整システムの概略構成を示す構成図である。
【図２】本実施形態の建物の温度調整システムを備える住宅の構成を側面視で示すと共に温度調整システムの概略構成を示す構成図である。
【図３】エリア内における複数の住宅とセンターとを示すブロック図である。
【図４】操作部に設けられた操作パネルを示す正面図である。
【図５】（Ａ）は図４のダイヤルを０％に合わせた状態を示し、（Ｂ）はダイヤルを５０％削減に合わせた状態を示す図である。
【図６】（Ａ）は当月の日々のヒートショックを抑制するために消費したエネルギー消費量の表示画面を示し、（Ｂ）は過去一年分の毎月のヒートショックを抑制するために消費したエネルギー消費量の表示画面を示し、（Ｃ）は過去一年の毎月の住宅全体で使用したエネルギー使用量及び累積のエネルギー使用量の表示画面を示す図である。
【図７】モニターの表示の処理の一例を示すフローチャートである。
【図８】第一変形例における操作パネルを示す正面図である。
【図９】第一変形例における操作パネルを示し、（Ａ）は朝（６：００〜８：００）の状態を示し、（Ｂ）は昼（８：００〜１８：００）の状態を示し、（Ｃ）は夕方（１８：００〜２２：００）の状態を示し、（Ｄ）は夜（２２：００〜０６：００）の状態を示す図８に対応する正面図である。
【発明を実施するための形態】
【００３５】
図１〜図７を用いて、本発明の実施形態に係る温度調整システムを備える住宅（建物）について説明する。
【００３６】
（エリア）
図３に示すように、所定範囲のエリア１００内に、ＨＥＭＳ（Home Energy Management System）１０２を備える複数の住宅１０とセンタサーバ１１６を備えるセンター１１０とが建設されている。このエリア１００内の各住宅１０とセンター１１０とは、インターネット等のネットワーク１１８に接続され、それぞれ情報の授受が可能とされている。また、各住宅１０に設けられたＨＥＭＳ１０２は、各住宅１０の電力を監視したり電力の流れ等を制御（例えば、電力源や電力の供給先を制御）する。
【００３７】
（住宅）
図１に示すように、住宅１０には、リビングやダイニング等の居室として、第１居室１１と第２居室１２と第３居室１３とが設けられている。これら第１居室１１〜第３居室１３は、住人に継続的に使用される居室空間となっている。また、住宅１０には、浴室１５と、その浴室１５に隣接した脱衣室１６と、その脱衣室１６と第１居室１１との間に配置された廊下１７とが設けられている。更に、廊下１７の先には、屋内と屋外との出入口となる玄関９８が設けられている。また、図示していないが洗面所やトイレも設けられている。なお、第１居室１１〜第３居室１３や浴室１５、脱衣室１６、廊下１７等は仕切壁２１によって仕切られている。
【００３８】
脱衣室１６は、住人により入浴の前後に浴室１５の前室として一時的に使用され、廊下１７は、住人により第１居室１１〜第３居室１３や脱衣室１６への移動の際に一時的に使用される。また、玄関９８は出入する際に使用する。このように脱衣室１、廊下１７及び玄関９８、更に洗面所やトイレ等は、第１居室１１〜第３居室１３とは異なり、住人に非継続的に使用される空間である。本実施形態では、脱衣室１６、廊下１７、玄関９８等を、「居室空間」と区別するために「非居室空間」とも称する。本実施形態では、「居室空間」は、住人が一日のうちで所定時間以上（本実施形態では三時間以上）在室する部屋である。
【００３９】
また、第１居室１１〜第３居室１３、浴室１５、脱衣室１６、廊下１７、及び玄関９８には、それぞれ人の有無を検知することができる人感センサ５１〜５７と各室温を測定する温度センサ６１〜６７とが設けられ、建物１０の外には外気温を測定する温度センサ６８が設けられている。また、図２に示すように、住宅１０における上方の空間には、天井により仕切られた天井裏スペース１９が設けられている。
【００４０】
（空調システム）
図１及び図２に示すように、住宅１０においては、住宅１０内（屋内空間）の室温を調整する空調システム８０が構築されており、この空調システム８０は、空調装置２４を含んで構成されている。空調装置２４は、天井裏スペース１９に設置されており、エアコン室内機２５とチャンバボックス３５とを有している。
【００４１】
エアコン室内機２５には、空気を取り込むための取込用ダクト２６が複数接続されている。そして、屋外に通じている取込用ダクト２６からは外気が取り込まれ、屋内空間に通じている取込用ダクト２６からは内気が取り込まれる。また、屋内空間に通じている取込用ダクト２６の屋内空間側の端部には、空気を還気として取り込む還気グリル２７が接続されており、その還気グリル２７は、例えば第１居室１１〜第３居室１３の天井に形成された開口に取り付けられている。
【００４２】
エアコン室内機２５は、取込用ダクト２６から取り込んだ空気の温度調整を行い、温度調整を行った空気を屋内空間に吹き出す。より詳しくは、エアコン室内機２５には吹出用ダクト２８が接続されており、吹出用ダクト２８の屋内空間側の端部には吹出グリル２９が接続されている。また、吹出グリル２９は、第１居室１１〜第３居室１３の天井に形成された開口に取り付けられている。なお、吹出グリル２９は、第１居室１１〜第３居室１３のそれぞれに設けられており、各第１居室１１〜第３居室１３にはエアコン室内機２５から吹出用ダクト２８を介して個別に空気を吹き出す。なお、本実施形態では、各第１居室１１〜第３居室１３の室温は、エアコン室内機２５により個別に調整される。
【００４３】
（空気供給機構）
空調システム８０は、第１居室１１〜第３居室１３内の空気を脱衣室１６に供給する空気供給機構８２を有している。空気供給機構８２には、第１居室１１〜第３居室１３内の空気を吸い込む吸気グリル３１と、吸気グリル３１から吸い込まれた空気を脱衣室１６に供給する供給グリル３２とを有しており、さらに、吸気グリル３１と供給グリル３２とを連通する通気ダクト３３を有している。
【００４４】
吸気グリル３１は、各第１居室１１〜第３居室１３のそれぞれに設けられており、各第１居室１１〜第３居室１３において、天井に形成された各開口に取り付けられている。したがって、吸気グリル３１からは、天井付近（居室空間の上部）の空気が吸い込まれる。なお、各第１居室１１〜第３居室１３では、天井付近に温かい空気が溜まり易くなっており、その温かい空気が吸気グリル３１により吸い込まれる。
【００４５】
供給グリル３２は、脱衣室１６の天井に形成された開口に取り付けられており、下方に向かって空気を吹き出す。なお、通気ダクト３３は、天井裏スペース１９（図２参照）に配設されている。これにより、天井裏スペース１９（図２参照）を有効に利用するとともに、第１居室１１〜第３居室１３や脱衣室１６、廊下１７等の空間を極力大きく確保している。
【００４６】
通気ダクト３３には、空気供給手段としてチャンバボックス３５と送風ファン３６とが接続されている。チャンバボックス３５は、エアコン室内機２５と一体的に空調装置２４に含まれて構成されている。チャンバボックス３５には、通気ダクト３３を介して吸気グリル３１及び供給グリル３２が接続されており、特に、チャンバボックス３５と供給グリル３２との間には送風ファン３６が接続されている。本実施形態においては、送風ファン３６が回転することで、第１居室１１〜第３居室１３の居室空間からチャンバボックス３５に吸気グリル３１を介して空気が吸い込まれるとともに、チャンバボックス３５内の空気が供給グリル３２から脱衣室１６に供給される。なお、チャンバボックス３５に出入りする空気量は、送風ファン３６の回転速度によって調整される。
【００４７】
チャンバボックス３５には電動式のモータダンパ３８が設けられている。モータダンパ３８は、通気ダクト３３の開閉を行う開閉弁（図示略）を含んで構成されており、開閉弁を開状態又は閉状態に切り替えることで、吸気グリル３１からの空気の吸い込みを実行又は停止させたり、脱衣室１６側への空気の供給を実行又は停止させたりする。開閉弁は、吸気グリル３１が取り付けられている第１居室１１〜第３居室１３毎に設けられており、各々独立して開閉される。開閉弁は、常閉式となっており、チャンバボックス３５に空気が出入りしない場合には、開閉弁によりチャンバボックス３５に対して通気ダクト３３が閉鎖されている。
【００４８】
通気ダクト３３には排気切替装置４１が接続されており、排気切替装置４１は、供給グリル３２と送風ファン３６との間に配置されている。排気切替装置４１には、通気ダクト３３の他に排気ダクト４２が接続されており、排気ダクト４２は、屋外排気口４３を介して屋外空間に通じている。この場合、排気切替装置４１よりも下流が、供給グリル３２を介した脱衣室１６側と、屋外排気口４３を介した屋外排気側との２方に分岐されており、排気切替装置４１は、上流に位置する通気ダクト３３を脱衣室１６側と連通させる供給状態、又は通気ダクト３３を屋外排気側と連通させる排気状態に切り替えられる。排気切替装置４１が供給状態にある場合、送風ファン３６により送られた空気は排気切替装置４１を通じて脱衣室１６に供給され、排気切替装置４１が排気状態にある場合、前記空気は屋外排気口４３から屋外に排出される。
【００４９】
（空気循環機構）
図２に示すように、空調システム８０は、通気ダクト３３を通じて第１居室１１〜第３居室１３から脱衣室１６に空気を送る機構を有している。換言すれば、第１居室１１〜第３居室１３と脱衣室１６との間で空気を循環させる空気循環機構８４を有している。空気循環機構８４には、脱衣室１６と廊下１７とを仕切る仕切壁２１、及び廊下１７と第１居室１１とを仕切る仕切壁２１のそれぞれに設けられている換気扇４６と、それら仕切壁２１に設けられたドアのアンダーカット４７とが含まれている。
【００５０】
換気扇４６は、各仕切壁２１における床近傍に形成された開口に取り付けられている。また、アンダーカット４７は、ドア下端と床面との間に通気用隙間として形成されている。したがって、第１居室１１〜第３居室１３から脱衣室１６に空気が供給された場合、換気扇４６及びアンダーカット４７により、脱衣室１６の床付近（非居室空間の下部）に存在する空気が、第１居室１１から廊下１７を介して第１居室１１に送り出される。この場合、換気扇４６が駆動されると、空気の強制循環として脱衣室１６、廊下１７及び第１居室１１の間で積極的に空気の循環が行われる。また、換気扇４６が駆動されなくても、空気の自然循環として空気の循環が行われる。
【００５１】
なお、脱衣室１６の床付近には冷たい空気が溜まり易くなっているため、その冷たい空気が脱衣室１６から第１居室１１に送り出されることになる。また、アンダーカット４７は、床面に面するように仕切壁２１の下端に形成されていてもよい。
【００５２】
（空調システムの電気的構成）
次に、空調システム８０の電気的構成について、図２を用いて説明する。なお、図２では、空気の流れを実線で図示し、電気信号の流れを破線で図示している。
【００５３】
図２に示すように、空調システム８０は、住宅１０内に設置されているＨＥＭＳ１０２に設けられたコントローラ５０を含んで構成されている。コントローラ５０は、ＣＰＵや各種メモリ等からなるマイクロコンピュータを有しており、そのマイクロコンピュータで指令信号を生成及び出力することで空調システム８０全体の動作制御を行うようになっている。
【００５４】
コントローラ５０には、エアコン室内機２５と、チャンバボックス３５のモータダンパ３８と、送風ファン３６と、排気切替装置４１と、換気扇４６とが制御対象として接続されており、コントローラ５０は、指令信号を出力することで制御対象の動作制御を行う。例えば、エアコン室内機２５を動作させて各第１居室１１〜第３居室１３の温度をそれぞれ調整する。また、モータダンパ３８、送風ファン３６及び排気切替装置４１を動作させ、各第１居室１１〜第３居室１３の空間上部の空気を吸い込ませるとともに、その空気を脱衣室１６に供給させたり屋外に排出させたりする。さらには、換気扇４６を動作させ、脱衣室１６の空間下部から廊下１７を介して第１居室１１に空気を積極的に送り出させる。
【００５５】
また、コントローラ５０には、各人感センサ５１〜５７（図１参照）と各温度センサ６１〜６８（図１参照）とが接続されており、各人感センサ５１〜５７及び各温度センサ６１〜６６からは検出信号がコントローラ５０に対してそれぞれ出力される。
【００５６】
さらに、コントローラ５０には、住人により入力操作が行われる操作部５９が接続されている。操作部５９は、第１居室１１〜第３居室１３や脱衣室１６にそれぞれ設置されており、住人により第１居室１１〜第３居室１３や脱衣室１６の室温に関する設定が行われるようになっている。操作部５９からは、室温の設定に関する信号がコントローラ５０に対して出力される。そして、コントローラ５０は、各人感センサ５１〜５７及び各温度センサ６１〜６８からの検出信号と住人の設定等に基づいて、空調システム８０を制御する。
【００５７】
また、コントローラ５０は、スケジュール機能と学習機能とを有している。スケジュール機能は、住宅１０の住人が操作部５９から外出時間及び帰宅時間を予め入力することで、住人が住宅１０に外出時間及び帰宅時間を把握する機能である。学習機能は、人感センサ５１〜５７の記録から住人が不在及び在住となる時間を記録し、これから住人の外出時間及び帰宅時間を予測する機能である。更に、カレンダー情報を加え、祝祭日と平日との生活パターンによる違いも考慮して外出時間及び帰宅時間を予測することが可能となっている。
【００５８】
（空気供給処理）
つぎに、コントローラ５０が行う空気供給機構８２による空気供給処理について説明する。
【００５９】
コントローラ５０は、モータダンパ３８、送風ファン３６及び排気切替装置４１を動作させ、空気供給元となる第１居室１１〜第３居室１３の少なくとも一つの居室から空気を吸い込み、通気ダクト３３を介して脱衣室１６に供給する。したがって、空気供給元の居室（第１居室１１〜第３居室１３）と脱衣室１６との室温差が小さくなる（本実施形態の場合は５℃以下）。
【００６０】
更に、換気扇４６を動作させ、脱衣室１６から廊下１７を通じて第１居室１１に空気を送り出す。なお、空気供給元となった居室から脱衣室１６に空気が供給されても、その供給された分の空気が屋外ではなく脱衣室１６から前述した空気供給元となった居室に送り込まれる。また、廊下１７を介して脱衣室１６と第１居室１１との間で空気循環が行われるため、脱衣室１６の室温だけでなく廊下１７の空間温度も調整される。更に、廊下１７の空気が第１居室１１に流れ込むため、廊下１７の温度に応じて第１居室１１の室温も変化することになり、ひいては、第２居室１２や第３居室１３の室温も変化することになる。したがって、第１居室１１〜第３居室１３と脱衣室１６との間で空気の循環が行われることで、住宅１０の屋内空間全体の温度が調整され、温度差が小さくなることになる。
【００６１】
このように、通気ダクト３３を介して第１居室１１〜第３居室１３から脱衣室１６に空気が供給されることによって、第１居室１１〜第３居室１３と脱衣室１６との間の室温差が小さくなる。よって、第１居室１１〜第３居室１３と脱衣室１６との室温差が大きいと、人が第１居室１１〜第３居室１３から脱衣室１６に移動した場合に、ヒートショックにより体調に異変が生じる可能性があるが、室温差が小さいとヒートショックを抑制することができ、ひいては体調異変を抑制することができる。
【００６２】
（エネルギー消費量の削減）
つぎに、ヒートショックを抑制するために消費されるエネルギー消費量の削減について説明する。
【００６３】
上述したように、通気ダクト３３を介して、第１居室１１〜第３居室１３から脱衣室１６に空気が供給されることによって、第１居室１１〜第３居室１３と脱衣室１６との間の室温差が小さくなる。また、第１居室１１〜第３居室１３と脱衣室１６との間で空気の循環が行われることで、住宅１０の屋内空間全体の温度が調整される。
【００６４】
図４に示すように、操作部５９には、操作パネル２００が設けられ、操作パネル２００には各種情報を表示するモニター２０２が設けられている。操作パネル２００のモニター２０２には、第１居室１１〜第３居室１３から脱衣室１６に空気が供給された室温差を小さくするために消費するエネルギー消費量Ｅ１（本実施形態では１時間当たりの消費Ｊ（ジュール）が表示されるようになっている。なお、単位はＪ（ジュール）以外、ｋｃａｌ（キロカロリー）やＷ（ワット）等で表示されていてもよい。
【００６５】
更に、操作パネル２００には、この室温差を小さくするために消費するエネルギー消費量Ｅ１を削減する削減値（削減率）を設定することができるダイヤル２０４が設けられている。具体的には、図５（Ａ）及び図５（Ｂ）に示すように、ダイヤル２０４を廻して、５０％に設定すると、第１居室１１〜第３居室１３から脱衣室１６に空気が供給された室温差を小さくするために消費するエネルギー消費量Ｅ１がエネルギー消費量Ｅ２（＝（Ｅ１）／２）に削減される。そして、このエネルギー消費量Ｅ２もモニター２０２に表示される。なお、エネルギー消費量が削減されると、その分、脱衣室１６の室温が下がり、第１居室１１〜第３居室１３と脱衣室１６との室温差が大きくなる。
【００６６】
また、モニター２０２には、外気温、脱衣室１６の室温、及び第１居室１１〜第３居室１３の室温が表示されるようになっている。第１居室１１〜第３居室１３と脱衣室１６との室温差を小さくするために消費するエネルギー消費量Ｅ１を削減する削減値（削減率）が０（ゼロ）の場合は、平衡状態において第１居室１１〜第３居室１３と脱衣室１６とは略同じ室温となり（室温差が略０（ゼロ）となり）、削減値（削減率）を大きくするに従って脱衣室１６の室温が下がり、第１居室１１〜第３居室１３と脱衣室１６との室温差が大きくなる。
【００６７】
ここで、本実施形態では、ダイヤル２０４の削減値（削減率）に基づいて、図２に示すコントローラ５０が、送風ファン３６の回転数を調整（制御）することで、第１居室１１〜第３居室１３から脱衣室１６への空気の供給量を、エネルギー消費量Ｅ１がエネルギー消費量Ｅ２になるように調整する。或いは、送風ファン３６をオンオフして第１居室１１〜第３居室１３から脱衣室１６への空気の供給量を、エネルギー消費量Ｅ２になるように調整する。
【００６８】
また、エネルギー消費量の算出は、どのような方法で行ってもよい。例えば、空気を１℃上昇させるエネルギー量は既知であるので、脱衣室１６の温度変化量と容積とからエネルギー消費量を計算するようにしてもよい。或いは、室温や温度差とエネルギー消費量との関係を予め求め表やマップとしてコントローラ５０に記憶させておいてもよい。或いは、送風ファン３６の回転数や停止時間からエネルギー消費量を推測するようにしてもよい。
【００６９】
また、エネルギー消費量Ｅ１，Ｅ２は単位時間（１時間）当たりの消費Ｊ（ジュール）がデフォルトでは表示されるようになっているが、操作ボタン２１０を操作することによって、「１日当たり」、「１月当たり」、及び「１年当たり」のエネルギー消費量Ｅ１，Ｅ２がモニター２０２に表示されるようになっている。更に、操作ボタン２１０を操作することによって、消費Ｊ（ジュール）表示を電気代（金額）に換算して表示するようになっている。
【００７０】
また、モニター２０２には、エコモード値Ｅ３とヒートショック抑制推奨値Ｅ４とがモニター２０２に表示されるようになっている。なお、エコモード値Ｅ３とは、室温差を小さくするために消費するエネルギー消費量を所定値以下に抑える値である。また、ヒートショック抑制推奨値Ｅ４とは、室温度差が予め定められた範囲内（本実施形態では５℃以内）にする値である。
【００７１】
操作ボタン２１０を操作してモニター２０２の画面を図６（Ａ）に示す画面に切り替えると、当月の日々のヒートショックを抑制するために消費したエネルギー消費量が表示される。更に、操作ボタン２１０を操作してモニター２０２の画面を図６（Ｂ）に示す画面に切り替えると、過去一年分の毎月のヒートショックを抑制するために消費したエネルギー消費量が表示される。更に、操作ボタン２１０を操作してモニター２０２の画面を図６（Ｃ）に示す画面に切り替えると、過去一年の毎月の住宅１０全体で使用したエネルギー使用量が棒グラフで表示され累積のエネルギー使用量が折れ線グラフで表示されるようになっている。
【００７２】
そして、住人はこれらのモニター２０２に表示された表示結果を参考にして、ダイヤル２０４を廻して削減値を設定する（図５参照）。
【００７３】
なお、本実施形態では、ダイヤル２０４の設定がエコモード値Ｅ３よりも低く設定された場合に、エコモード値Ｅ３が表示されるようになっている。更に、本実施形態では、脱衣室１６の室温が閾値以下（本実施形態の場合は１５℃以下）又は外気温が所定温度以下（本実施形態では５℃以下）の場合に、ヒートショック抑制推奨値Ｅ４とエコモード値Ｅ３とを表示するようになっている。
【００７４】
また、本実施形態では、いずれの人感センサ５１〜５７も住人を検知してない場合、つまり、住宅１０に住人が誰も居ない場合は、第１居室１１〜第３居室１３から脱衣室１６に空気を送るヒートショックの抑制を行なわない、或いは、空調システム８０全体を停止するようになっている。
【００７５】
そして、スケジュール機能と学習機能から予測される帰宅時間の所定時間前（本実施形態では３０分前）に、コントローラ５０は、空調システム８０を作動させ建物１０を暖房する。また、第１居室１１〜第３居室１３から脱衣室１６に空気を供給し、第１居室１１〜第３居室１３と脱衣室１６との室温差を小さくする。
【００７６】
（フローチャートの一例）
つぎに、エコモード値Ｅ３及びヒートショック抑制推奨値Ｅ４のモニター２０２への表示に関する処理例を、図７に示すフローチャートを用いて説明する。
【００７７】
ステップＳ１０では、ダイヤル２０４（図４参照）で設定された削減値が、エコモード値より低いか否かを判断する。低くない場合（ＮＯ）はステップＳ１４に進む。低い場合（ＹＥＳ）は、ステップＳ１２に進みエコモード値を表示し、ステップＳ１４に進む。
【００７８】
ステップＳ１４では、脱衣所１６の室温が１５℃以下又は外気温が５℃以下であるか否かを判断する。１５℃以下又は５℃以下でない場合（ＮＯ）は処理を終了する。１５℃以下又は５℃以下の（ＹＥＳ）は、ステップＳ１６に進みエコモード値とヒートショック抑制推奨値を表示し、処理を終了する。
【００７９】
（作用及び効果）
つぎに、本実施形態の作用及び効果について説明する。
【００８０】
第１居室１１〜第３居室１３から脱衣室１６に空気が供給された室温差を小さくするために消費するエネルギー消費量Ｅ１、すなわちヒートショックを抑制するために消費するエネルギー消費量Ｅ１が操作パネル２００のモニター２０２に表示される。そして、表示されたエネルギー消費量Ｅ１を参考に、ダイヤル２０４を廻して削減値（削減率）を設定する。このとき、ヒートショックの影響を受けやすい人、例えば高齢者の場合は、削減値（削減率）を少なくする等して調整する。
【００８１】
コントローラ５０は、設定された削減値（削減率）に基づいて、送風ファン３６の回転数を調整（制御）することで、第１居室１１〜第３居室１３から脱衣室１６へ供給される空気の供給量をエネルギー消費量Ｅ１がエネルギー消費量Ｅ２になるように調整（制御）し、エネルギー消費量を削減する。或いは、送風ファン３６をオンオフして第１居室１１〜第３居室１３から脱衣室１６への空気の供給量を、エネルギー消費量Ｅ２になるように調整し、エネルギー消費量を削減する。
【００８２】
したがって、ヒートショックを抑制するために消費するエネルギー消費量が容易に削減される。
【００８３】
また、モニター２０２に、エコモード値Ｅ３とヒートショック抑制推奨値Ｅ４とを表示し、これらエコモード値Ｅ３とヒートショック抑制推奨値Ｅ４とを参考に、削減値（削減率）を設定することで、ヒートショックの抑制とエネルギー消費量の削減とのバランスを取ることが容易となる。また、前述したヒートショックの影響を受けやすい高齢者の場合はヒートショック抑制推奨値Ｅ４を参考に削減値（削減率）を設定することが可能となり、ヒートショックの影響を受けにくい若年層の場合はエコモード値Ｅ３を参考に削減値（削減率）を設定することが可能となる。
【００８４】
また、本実施形態では、ダイヤル２０４の設定がエコモード値Ｅ３よりも低く設定された場合に、エコモード値Ｅ３が表示されるようになっている。そして、表示されたエコモード値Ｅ３を参考に、削減値（削減率）を設定し直すことで、必要以上にエネルギー消費量を削減し、その結果、ヒートショックの抑制が十分に得られなくなることが防止される。
【００８５】
また、本実施形態では、脱衣室１６の室温が閾値以下（本実施形態の場合は１５℃以下）又は外気温が所定温度以下（本実施形態では５℃以下）の場合に、エコモード値Ｅ３とヒートショック抑制推奨値Ｅ４を表示するようになっている。つまり、ヒートショックを抑制する必要が高い場合（冬場）はヒートショック抑制推奨値Ｅ４とエコモード値Ｅ３とが表示されることでヒートショックの抑制を重視することが促され、ヒートショックを抑制する必要が低い場合（暖房はいれているが比較的温度が高い秋口や春先）はエコモード値Ｅ３とヒートショック抑制推奨値Ｅ４とが表示されないのでヒートショックの抑制を重視しないで自由に削減値が設定される。よって、ヒートショックの抑制とエネルギー消費量の削減とのバランスを効果的にとることができる。
【００８６】
また、本実施形態では、スケジュール機能と学習機能から予測される帰宅時間の所定時間前（本実施形態では３０分前）に、コントローラ５０は、空調システム８０を作動させ建物１０を暖房すると共に、第１居室１１〜第３居室１３から脱衣室１６に空気を供給し第１居室１１〜第３居室１３と脱衣室１６との室温差を小さくする。よって、帰宅直後であっても、建物１０が暖房されていると共に、ヒートショックが抑制されている。
【００８７】
なお、本実施形態では、第１居室１１〜第３居室１３等の居室空間との室温差を小さくする非居室空間は脱衣室１６であったが、これに限定されるものではない。第１居室１１〜第３居室１３等の居室空間と脱衣室１６以外の非居室空間との室温差を小さく場合にも本発明を適用することができる。なお、脱衣室１６以外の非居室空間とは、洗面所、玄関９８、トイレ等である。
【００８８】
また、入浴後に浴室１５から脱衣室１６への移動を重視し、住人が浴室１５に居る場合に脱衣室１６を昇温し、脱衣室１６に住人が居なくなると脱衣室１６への昇温を停止するようにしてもよい。或いは、夜間（例えば、０：００〜５：００）の間は、脱衣室１６への昇温を停止するようにしてもよい。
【００８９】
（変形例）
つぎに、上記実施形態の変形例について説明する。
【００９０】
[第一変形例]
第一変形例では、図８に示すように、第１居室１１が所謂リビングルームとして使用され、第２居室１２が所謂寝室として使用されている。そして、操作パネル２００のモニター２０２には、第１居室１１、第２居室１２、脱衣室１６、及びトイレ（図示略）毎に、空調システム８０よるエネルギー消費量が表示されるようになっている。
【００９１】
また、脱衣室１６とトイレは、上記実施形態で説明したように、ダイヤル２０４を廻して削減値（削減率）を設定することができるようになっている。
【００９２】
第一変形例では、時間帯によって空調を行う部屋がコントローラ５０制御されている。つまり、住人が居ない場所は空調を入れないようにして、エネルギー消費量を削減するようになっている。
【００９３】
具体的には、図９（Ａ）に示すように、朝（６：００〜８：００）では、第１居室・リビング１１とトイレとに空調を行う。図９（Ｂ）に示すように、昼（８：００〜１８：００）では、第１居室・リビング１１のみに空調を行う。図９（Ｃ）に示すように、夕方（１８：００〜２２：００）では、第１居室・リビング１１とトイレと脱衣室１６の空調を行う。そして、図９（Ｄ）に示すように、夜（２２：００〜０６：００）では、第２居室・寝室１２とトイレ６の空調を行う。
【００９４】
なお、「夕方の終わり（例えば、２０：００）」から夜にかけて徐々に第２居室・寝室１２の室温を上げておいてもよい。また、「夕方の終わり（例えば、２０：００）」に第１居室・リビング１１の空調を切ってもよい。この場合は、余熱で暖かい状態となっているので、空調を切っても第１居室・リビング１１での快適性は維持される。また、住人全員の入浴が完了した場合は、夜になる前であっても脱衣所１６の空調を切るようにしてもよい。
【００９５】
[第二変形例]
上記実施形態では、第１居室１１〜第３居室１３の居室空間と脱衣室１６や廊下１７等の非居室空間との室温差を小さくする制御について説明した。第二変形例では、この制御に加え更に非居室空間のうち、玄関９８（図１参照）等の屋内と屋外との出入口が設けられた出入空間の昇温の制御について説明する。なお、玄関９８も上記実施形態と同様に第１居室１１〜第３居室１３から空気が供給され、これによって室温差を小さくするように構成されている。
【００９６】
コントローラ５０は、玄関９８の室温を第１居室１１〜第３居室１３の室温と外気温との中間の温度になるように昇温する。よって、玄関９８と外気温との温度差が小さくなるので、住宅１０から屋外に出る際のヒートショックが抑制される。
【００９７】
また、コントローラ５０は、スケジュール機能と学習機能とから得られた外出時間に基づき、外出時間の所定時間前（例えば３０分前）に第１居室１１〜第３居室１３の室温と外気温との中間の温度なるように予め玄関９８を昇温する。なお、外出時間の所定時間後（例えば３０分後）になっても、人感センサ５１〜５６が住人を検知している場合は、コントローラ５０は、外出が中止となったと判断して玄関９８の昇温を停止する。
【００９８】
更に、コントローラ５０は、スケジュール機能と学習機能とから得られた帰宅時間に基づき、帰宅時間の所定時間前（例えば３０分前）に、住宅１０の空調システム８０を作動させる。その際、第１居室１１〜第３居室１３の室温と外気温との中間の温度なるように予め玄関９８を昇温する。なお、帰宅時間の所定時間後（例えば３０分後）になっても、人感センサ５１〜５６が住人を検知しない場合は、コントローラ５０は、帰宅時間が変更となったと判断して住宅１０の空調システム８０を停止する。
【００９９】
（その他）
尚、本発明は上記実施形態及び変形例に限定されない。
【０１００】
例えば、上記実施形態及び変形例では、空気供給機構８２による空気供給処理は、各住宅１０のＨＥＭＳ１０２のコントローラ５０が行っていたが、これに限定されない。センター１１０のセンタサーバ１１６が行うように構成されていてもよい。
【０１０１】
また、例えば、上記実施形態及び変形例では、第１居室１１〜第３居室１３から脱衣室１６や玄関９８に空気を供給することで室温差を小さくしたが、これに限定されない。例えば、脱衣室１６や玄関９８にエアコンなどの空調装置やヒータ等の暖房機器を備えていてもよい。この場合、ヒートショックを抑制するためのエネルギー消費量は、脱衣室１６や玄関９８に設けられた空調装置や暖房機器の電力消費量から容易に算出することができる。
【０１０２】
また、例えば、上記実施形態及び変形例では、脱衣室１６や玄関９８を昇温（暖房）して第１居室１１〜第３居室との温度差を小さくする場合について説明したが、これに限定されるものではない。脱衣室１６や玄関９８を降温（冷房）して第１居室１１〜第３居室との温度差を小さくする場合についても本発明を適用することができる。別の観点から説明すると冬場のヒートショックの抑制だけでなく、夏場のヒートショックの抑制に関しても、本発明を適用することができる。
【０１０３】
また、例えば、上記実施形態及び変形例では、住宅１０に適用したが、これに限定されるものではない。住宅以外の建物、例えば、集合住宅やオフィスビル等にも本発明を適用することができる。
【０１０４】
更に、本発明の要旨を逸脱しない範囲において種々なる態様で実施し得ることは言うまでもない。
【符号の説明】
【０１０５】
１０      住宅（建物）
１１      第１居室（一の屋内空間）
１２      第２居室（一の屋内空間）
１３      第３居室（一の屋内空間）
１６      脱衣室（他の一の屋内空間）
８０      空調システム（温度調整システム）
８４      空気循環機構（温度調整手段）
９８      玄関（他の一の屋内空間）
２００      操作パネル（表示手段）
【図１】
2013221725.tif 000003
【図２】
2013221725.tif 000004
【図３】
2013221725.tif 000005
【図４】
2013221725.tif 000006
【図５】
2013221725.tif 000007
【図６】
2013221725.tif 000008
【図７】
2013221725.tif 000009
【図８】
2013221725.tif 000010
【図９】
2013221725.tif 000011